【事件の表示】
　特願２０００−３６３９００「ディスク装置」拒絶査定不服審判事件〔平成１４年６月１４日出願公開、特開２００２−１７０３４９〕について、次のとおり審決する。
【結　論】
　本件審判の請求は、成り立たない。
【理　由】
第１　手続の経緯
　本件審判の請求に係る特許出願（以下、「本願」という。）は、平成１２年１１月２９日の出願であって、平成１７年２月２２日付け、及び同年６月２１日付けの各拒絶理由通知に対して、それぞれ同年４月２８日付け、及び同年８月２９日付けで手続補正がされたが、平成１８年９月６日付けで拒絶査定がされ、これに対し、同年１０月１２日付けで拒絶査定不服審判が請求されるとともに、同年１１月９日付けで手続補正がされたものである。そして、平成２０年８月１２日付けの審尋に対し、同年１０月８日付けで回答書が提出されたものである。
　
第２　平成１８年１１月９日付けの手続補正についての補正却下の決定
［補正却下の決定の結論］
　平成１８年１１月９日付けの手続補正を却下する。
　
［理由］
１．補正後の本願発明
　平成１８年１１月９日付け手続補正（以下、「本件補正」という。）により、特許請求の範囲の請求項１は、
「【請求項１】　モータによりディスクを回転させており、ヘッドを保持部材から該ディスクにロード又は該ヘッドを該ディスクから該保持部材にアンロードするディスク装置において、
　
前記ロード又は前記アンロードが、
又はアンロード
、かつ、前記ディスクの特定の領域において
と補正された。
　
　上記補正は、請求項１に記載した発明を特定するために必要な事項である「ランプロード開始位置から所定の時間で前記ロード又は前記アンロードが完了する」に対し「
前記ロード又は前記アンロードが、
又はアンロード
、かつ、前記ディスクの特定の領域において
　
　そこで、本件補正後における特許請求の範囲の請求項１に記載されている事項により特定される発明（以下、「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
２．引用例
　原査定の拒絶の理由に引用された、本願出願前に頒布された刊行物である特開平７−２７２４２４号公報（以下、「引用例」という。）には、磁気ディスク装置及びそのロード・アンロード装置に関して図面とともに以下の技術事項が記載されている。（下線は当審で付した。）
　
　（ａ）「【請求項１１】  
回転型情報記録ディスクと、
このディスクを回転駆動するモータと、
ヘッドスライダをこのディスクの表面に沿って移動可能にサスペンションを介して支持するアームと、
このアームを駆動するボイスコイル形駆動機構と、
前記ヘッドスライダを前記ディスクのデータゾーン外に退避させる機構とを有し、
上記ヘッドスライダをディスク表面に対してロードまたはアンロードする際に、モータの一回転毎に一回得られる信号に基づいて、このディスクの周方向の位置を検出する周方向位置検出手段と、
周方向位置検出手段からの検出信号に基づいて、ヘッドスライダが所定の周方向位置にあるとき、ヘッドスライダのディスク表面に対するロードまたはアンロードを行なうように、アクチュエータ駆動機構を制御する制御手段とを備えていることを特徴とする磁気ディスク装置。
　（ｂ）「【０００２】
【従来の技術】
従来、例えばるＮ−ＣＳＳ（ノン−コンタクトスタートストップ）の１方式であるランプローディング方式による起動停止方法、即ちダイナミックロード・アンロード方式を採用した磁気ディスク装置は、例えば図８に示すように構成されている。
【０００３】このアクチュエータ３は、図示のように、回転軸４の周りに回動可能に支持されたアーム５と、このアーム５の先端に対してサスペンション６を介して支持されたヘッドスライダ７と、このアーム５を回転軸４の周りに回転駆動させるボイスコイル８とから構成されている。
【０００４】さらに、
上記磁気ディスク装置１は、そのアクチュエータ３のサスペンション６の先端から延びるカムフォロワ６ａと、上記磁気ディスク２の外周部付近に設けられたカム部材９とを有している。これにより、ロード・アンロード装置が構成されている。
【０００５】このように構成された磁気ディスク装置１によれば、ヘッドスライダ７は、回転駆動する磁気ディスク２の表面に対して僅かに浮上した状態に保持される。そして、アーム５が回転軸４の周りに回転駆動されることにより、このヘッドスライダ７は、磁気ディスク２の表面上を半径方向に移動される。これにより、このヘッドスライダ７は、この磁気ディスク２の円周方向に沿って設けられた各トラックに対してアクセスできるようになっている。
【０００６】さらに、この磁気ディスク装置１の起動停止時には、以下のようにして、所謂ロード・アンロードが行なわれるようになっている。即ち、
ロード時においては、アーム５が、ボイスコイル８により回転軸４の周りに回動されることにより、上記カムフォロワ６ａが、磁気ディスク２の内側に向かって移動され、カム部材９のパーキングエリア９ａからＲ１方向に移動する。これにより、ヘッドスライダ７は、アーム５の回動に伴って、一度上昇して、浮上した状態で磁気ディスク２の上方に移動され、その後、このカム部材９のカム面９ｂに沿って下降され、磁気ディスク２の表面に近接するようになっている。
【０００７】また、
アンロード時には、アーム５が、ボイスコイル８により回転軸の周りに回動されることにより、上記カムフォロワ６ａが、磁気ディスク２の外側に向かって移動され、カム部材９のカム面９ｂに当接しながら、上昇し且つＲ２方向に向かって、パーキングエリア９ａまで移動する。これにより、ヘッドスライダ７は、アーム５の回動に伴って、磁気ディスク２の表面から離反し、その後、このカム部材９のカム面９ｂに沿って上昇した後、カム部材９のパーキングエリア９ａに移動される。
　（ｃ）「【００３０】
図１は、本発明の好適な実施例に係るダイナミックロード・アンロード装置を組み込んだ磁気ディスク装置の構成を示す図である。
【００３１】図１において、磁気ディスク装置１０は、回転駆動される磁気ディスク１１と、ヘッドスライダをこの磁気ディスク１１の表面に沿って僅かに浮上した状態で半径方向に移動するように支持するアクチュエータ１２とを含んでいる。
【００３２】このアクチュエータ１２は、図示のように、回転軸１３の周りに回動可能に支持されたアーム１４と、このアーム１４の先端に対してサスペンション１５を介して支持されたヘッドスライダ１６と、このアーム１４を回転軸１３の周りに回転駆動させるボイスコイル１７とから構成されている。　
【００３３】さらに、
上記磁気ディスク装置１０は、そのアクチュエータ１２のサスペンション１５の先端から延びるカムフォロワ１５ａと、上記磁気ディスク１１の外周部付近に設けられたカム部材１８とを有しており、カム部材１８にはディスク中心方向へ徐々に下降する傾斜面でなるカム面１８ｂが設けられている。これにより、ロード・アンロード装置が構成されている。
【００３４】
以上の構成は、図８に示した従来のダイナミックロード・アンロード装置を組み込んだ磁気ディスク装置１と同様の構成であるが、本実施例による磁気ディスク装置１０においては、上記アクチュエータ１２は、そのボイスコイル１７が、アクチュエータ駆動回路１９により駆動される。
上記ディスクを回転駆動させるモータ２０は、モータ駆動回路２１から供給される直流電圧によって、駆動されると共に、その一回転毎に、同一回転角にて、信号を発生する。この信号は、パルス発生回路２２に入力され、このパルス発生回路２２は、モータ２０からの信号をパルス信号に変換する。
　（ｄ）「【００３８】さらに、この磁気ディスク装置１０の起動停止時には、以下のようにして、ロード・アンロードが行なわれ得る。
ロード時においては、
モータ２０からは一回転毎に同じ回転角にて信号を発生して、パルス発生回路２２に出力する。このパルス発生回路２２は、モータ２０からの信号をパルス信号に変換して、コントローラ２３に出力する。
【００３９】
続いて、コントローラ２３は、パルス発生回路２２からのパルス信号を検知した後に、アクチュエータ駆動回路１９を駆動制御する。これにより、アクチュエータ１２は、その先端がＲ１の方向に回転する。かくして、上記カムフォロワ１５ａが、磁気ディスク１１の内側に向かって移動され、カム部材１８のパーキングエリア１８ａからＲ１方向に移動する。これにより、ヘッドスライダ１６は、アーム１４の回動に伴って、一度上昇して、浮上した状態で磁気ディスク１１の上方に移動され、その後、このカム部材１８のカム面１８ｂに沿って下降され、磁気ディスク１１の表面に近接し、この磁気ディスク１１上に浮上する。
【００４０】
アクチュエータ１２を駆動する駆動力が一定であれば、またはこの駆動力がコントローラ２４によって制御されていれば、磁気ディスク１１の回転位置によるパルスが検知されてからヘッドスライダ１６が定常回転している磁気ディスク１１上に浮上するまでの時間は、アクチュエータ１２のトルク定数，イナーシャ，粘性弾性係数，カムフォロワ１５ａとカム部材１８との摩擦係数により決まり、一定となる。これにより、ヘッドスライダ１６が磁気ディスク１１上に浮上する位置は、この磁気ディスク１１の周方向に関して、常に一定の角度位置となる。
【００４１】
他方、図８に示した従来の磁気ディスク装置１において述べたと同様に、ヘッドスライダ１６が磁気ディスク上に浮上する位置は、この磁気ディスク１１の半径方向に関して、各部品即ちカムフォロワ１５ａ，カム部材１８，サスペンション１５，アーム１４，ヘッドスライダ１６，磁気ディスク１１及び図示しないシャーシ等の精度によって、一義的に決まり、一定の半径方向位置となる。
【００４２】
従って、ヘッドスライダ１６が磁気ディスク１１上に浮上する位置は、この磁気ディスク１１の周方向及び半径方向に関して、一定の位置（以下特定浮上位置という）となる。
【００４３】これにより、ロード時に、ヘッドスライダ１６が磁気ディスク１１の表面に対して接触する場合には、常に上記特定浮上位置となる。このため、ヘッドスライダ１６の磁気ディスク１１に対する接触または衝突によって、磁気ディスク１１のデータが破損する場合には、常にこの特定浮上位置であることから、データの損傷は、この特定浮上位置に限定されることになる。
【００４４】ここで、
この特定浮上位置に、前以てデータを記録しないようにしておけば、ヘッドスライダ１６の磁気ディスク１１に対する接触または衝突によるデータの損傷は、完全に排除される。
　（ｅ）「【００４７】次に、
アンロード時の動作について説明する。先づ、コントローラ２３が、アクチュエータ駆動回路１９を駆動制御することにより、ヘッドスライダ１６が、磁気ディスク７のデータゾーン最外周部にトラッキングされる。そして、モータ２０が一回転毎に一回同じ回転角にて発生する信号が、パルス発生回路２２によりパルス信号に変換されて、コントローラ２３に出力される。
【００４８】
この場合も、同様に、アクチュエータ１２を駆動する駆動力が一定であれば、またはこの駆動力がコントローラ２４によって制御されていれば、磁気ディスク１１の回転位置によるパルスが検知されてからヘッドスライダ１６が定常回転している磁気ディスク１１から離反するまでの時間は、アクチュエータ１２のトルク定数，イナーシャ，粘性弾性係数，カムフォロワ１５ａとカム部材１８との摩擦係数により決まり、一定となる。これにより、ヘッドスライダ１６が磁気ディスク１１から離反する位置は、この磁気ディスク１１の周方向に関して、常に一定の角度位置となる。
【００４９】
他方、図８に示した従来の磁気ディスク装置１において述べたと同様に、ヘッドスライダ１６が磁気ディスクから離反する位置は、この磁気ディスク１１の半径方向に関して、各部品即ちカムフォロワ１５ａ，カム部材１８，サスペンション１５，アーム１４，ヘッドスライダ１６，磁気ディスク１１及び図示しないシャーシ等の精度によって、一義的に決まり、一定の半径方向位置となる。
【００５０】
従って、ヘッドスライダ１６が磁気ディスク１１上に浮上する位置は、この磁気ディスク１１の周方向及び半径方向に関して、一定の位置（以下特定離反位置という）となる。
【００５１】これにより、アンロード時に、ヘッドスライダ１６が磁気ディスク１１の表面に対して接触する場合には、常に上記特定離反位置となる。このため、ヘッドスライダ１６の磁気ディスク１１に対する接触または衝突によって、磁気ディスク１１のデータが破損する場合には、常にこの特定離反位置であることから、データの損傷は、この特定離反位置に限定されることになる。
【００５２】ここで、
この特定離反位置に、前以てデータを記録しないようにしておけば、ヘッドスライダ１６の磁気ディスク１１に対する接触または衝突によるデータの損傷は、完全に排除される。
　（ｆ）「【００５５】以下さらに、動作に関してさらに具体的に説明する。モータ駆動回路２１は、例えば電圧駆動型スピンドルモータドライバであり、これにより、モータ２０は、定常回転数３６００ｒｐｍで回転駆動される。また、モータ２０は、例えば３相１２極のＤＣモータである。このモータ２０が回転すると、１相につき、１回転に３周期の逆起電圧が観測される。この３つの逆起電圧の大きさは、モータ２０を構成するコイルの巻ムラ，マグネットの着磁ムラ等によって異なり、モータ２０の回転角度に依存する。従って、この３つの逆起電圧の大きさを比較することにより、一つの逆起電圧、例えば一番大きな逆起電圧に特定して、この逆起電圧に同期して、
パルス発生回路２２が、モータ２０の一回転毎に、特定の回転角度にて、パルス信号を発生させる。
【００５６】
そして、コントローラ２３が、このパルス信号を検知した後、アクチュエータ駆動回路１９に対して駆動制御信号を出力する。これにより、アクチュエータ１２は、Ｒ１方向に移動して、ロードが開始される。従って、アクチュエータ１２の移動により、カムフォロワ１５ａは、カム部材１８のカム部１８ｂに沿って移動し、ヘッドスライダ１６が、磁気ディスク１１の表面に浮上する。このとき、アクチュエータ１２はその回転速度が一定になるように駆動制御されているので、ヘッドスライダ１６が磁気ディスク１１上に浮上する位置、即ち特定浮上位置は、この磁気ディスク１１の周方向に関して、常に一定の角度位置となる。
　（ｇ）「【００６０】上記駆動指示タイミングパルスによって、アクチュエータ１２は、Ｒ１方向に移動されて、カムフォロワ１５ａがカム部材１８のカム面１８ｂに沿って移動し、ヘッドスライダ１６が、磁気ディスク１１の表面に浮上する。この際、
駆動開始からヘッドスライダ１６が浮上するまでは、約０．３秒である。また、アクチュエータ１２の回転速度が一定であるので、ヘッドスライダ１６が磁気ディスク１１上に浮上する周方向の位置は、一定となる。
　（ｈ）「【００６３】次に、
アンロード時には、先づ磁気ディスク１１上に浮上しているヘッドスライダ１６が、磁気ディスク１１の外周部に移動される。その後、同様にして、モータ駆動回路１２により回転駆動されるモータ２０から、一回転毎に、一回特定の回転角度で、逆起電圧による信号が出力され、パルス発生回路２２が、この信号と同期して、パルス信号をコントローラ２３に出力する。
【００６４】
そして、コントローラ２３が、このパルス信号を検知した後、アクチュエータ駆動回路１９に対して駆動制御信号を出力する。これにより、アクチュエータ１２は、Ｒ２方向に移動して、アンロードが開始される。従って、アクチュエータ１２の移動により、ヘッドスライダ１６が、さらに磁気ディスク１１の外周側に移動した後、カムフォロワ１５ａが、カム部材１８のカム部１８ｂに沿って移動することにより、このヘッドスライダ１６が、磁気ディスク１１の表面から離反する。
【００６５】このとき、
アクチュエータ１２はその回転速度が一定になるように駆動制御されているので、ヘッドスライダ１６が磁気ディスク１１上から離反する位置、即ち特定離反位置は、この磁気ディスク１１の周方向に関して、常に一定の角度位置となる。
　（ｉ）「【００６９】上記駆動指示タイミングパルスによって、アクチュエータ１２は、Ｒ２方向に移動されて、カムフォロワ１５ａがカム部材１８のカム面１８ｂに沿って移動し、ヘッドスライダ１６が、磁気ディスク１１の表面から離反される。この際、
駆動開始からヘッドスライダ１６が離反するまでは、約０．３秒である。また、アクチュエータ１２の回転速度が一定であるので、ヘッドスライダ１６が磁気ディスク１１上から離反する周方向の位置は、一定となる。
　（ｊ）第１乃至８図には、上記（ａ）乃至（ｉ）等の記載により説明される磁気ディスク装置におけるロード及びアンロードに関する図が記載されている。
　
　上記摘示事項及び図面を総合勘案すると、引用例には、次の発明（以下、「引用発明」という。）が記載されているものと認める。
「ディスクを回転駆動するモータと、
ヘッドスライダをこのディスクの表面に沿って移動可能にサスペンションを介して支持するアームと、
このアームを駆動するボイスコイル形駆動機構と、
前記ヘッドスライダを前記ディスクのデータゾーン外に退避させる機構とを有し、
上記ヘッドスライダをディスク表面に対してロードまたはアンロードする際に、モータの一回転毎に一回得られる信号に基づいて、このディスクの周方向の位置を検出する周方向位置検出手段と、
周方向位置検出手段からの検出信号に基づいて、ヘッドスライダが所定の周方向位置にあるとき、ヘッドスライダのディスク表面に対するロードまたはアンロードを行なうように、アクチュエータ駆動機構を制御する制御手段とを備えている磁気ディスク装置であって、
アクチュエータのボイスコイルはアクチュエータ駆動回路により駆動されるものであり、
ロード時には、モータの一回転毎に、特定の回転角度にて発生されたパルス信号を検知した後、ロードが開始され、サスペンションの先端から延びるカムフォロワが、磁気ディスクの内側に向かって移動され、カム部材のパーキングエリアから移動することにより、ヘッドスライダがディスク表面に近接するようになっており、
また、アンロード時には、先づヘッドスライダが、磁気ディスクの外周部に移動された後、モータの一回転毎に、特定の回転角度にて発生されたパルス信号を検知した後に、アンロードが開始され、上記カムフォロワが、さらに磁気ディスクの外側に向かって移動され、カム部材のパーキングエリアまで移動することにより、ヘッドスライダがディスク表面から離反し、カム部材のパーキングエリアに移動されるものであり、
ロード時及びアンロード時に、アクチュエータはその回転速度が一定になるように駆動制御されており、
ヘッドスライダが磁気ディスク上に浮上する位置、及び磁気ディスクから離反する位置は、この磁気ディスクの周方向及び半径方向に関して、一定の位置となるものである
磁気ディスク装置。」
　
３．対比
　本願補正発明を、引用発明と比較する。
　（１）引用発明の「磁気ディスク装置」は、「ディスクを回転駆動するモータ」及び「ヘッドスライダを前記ディスクのデータゾーン外に退避させる機構」を有し、「ロード時には、」「ヘッドスライダ」が取り付けられた「サスペンションの先端から延びるカムフォロワが、磁気ディスクの内側に向かって移動され、カム部材のパーキングエリアから移動することにより、ヘッドスライダがディスク表面に近接するようになっており、」「また、アンロード時には、」「上記カムフォロワが、さらに磁気ディスクの外側に向かって移動され、カム部材のパーキングエリアまで移動することにより、ヘッドスライダがディスク表面から離反し、カム部材のパーキングエリアに移動される」ものである。すると、引用発明における「カム部材」は本願補正発明における「保持部材」に相当し、引用発明は、本願補正発明における「モータによりディスクを回転させており、ヘッドを保持部材から該ディスクにロード又は該ヘッドを該ディスクから該保持部材にアンロードするディスク装置」に相当する構成を備えている。
　（２）引用発明は、「上記ヘッドスライダをディスク表面に対してロードまたはアンロードする際に、モータの一回転毎に一回得られる信号に基づいて、このディスクの周方向の位置を検出する周方向位置検出手段と、周方向位置検出手段からの検出信号に基づいて、ヘッドスライダが所定の周方向位置にあるとき、ヘッドスライダのディスク表面に対するロードまたはアンロードを行なうように、」「アクチュエータのボイスコイル」を「アクチュエータ駆動回路により駆動」する「アクチュエータ駆動機構を制御する制御手段」とを有し、より詳細には、「ロード時には、モータの一回転毎に、特定の回転角度にて発生されたパルス信号を検知した後、ロードが開始され、サスペンションの先端から延びるカムフォロワが、磁気ディスクの内側に向かって移動され、カム部材のパーキングエリアから移動することにより、ヘッドスライダがディスク表面に近接するようになっており、」「また、アンロード時には、先づヘッドスライダが、磁気ディスクの外周部に移動された後、モータの一回転毎に、特定の回転角度にて発生されたパルス信号を検知した後に、アンロードが開始され、上記カムフォロワが、磁気ディスクの外側に向かって移動され、カム部材のパーキングエリアまで移動することにより、ヘッドスライダがディスク表面から離反し、カム部材のパーキングエリアに移動される」制御が行われるものであるから、上記「カム部材のパーキングエリア」又は「磁気ディスクの外周部」は、本願補正発明における「ランプロード又はアンロード開始位置」に相当する。
　（３）引用発明は、「ヘッドスライダが磁気ディスク上に浮上する位置、及び磁気ディスクから離反する位置は、この磁気ディスクの周方向及び半径方向に関して、一定の位置となる」ものであるから、本願補正発明における「前記ロード又は前記アンロードが、」「前記ディスクの特定の領域において完了する」機能を備えている。
　（４）引用発明は、「ロード時及びアンロード時に、アクチュエータはその回転速度が一定になるように駆動制御され」る構成を備えており、該アクチュエータにヘッドスライダが備えられていることは自明であるから、引用発明は、本願補正発明における「前記ヘッドの移動速度を制御する制御手段」を実質的に備えている。
　
　すると、本願補正発明と引用発明とは、次の点で一致する。
「モータによりディスクを回転させており、ヘッドを保持部材から該ディスクにロード又は該ヘッドを該ディスクから該保持部材にアンロードするディスク装置において、
　前記ロード又は前記アンロードが、前記ディスクの特定の領域において完了するように前記ヘッドの移動速度を制御する制御手段を有するディスク装置。」
　
　一方で、上記ヘッドの移動速度を制御する制御手段について、引用発明には、本願補正発明における「ランプロード又はアンロード開始位置から所定の時間で完了する」との条件が明示されていない点で、両者は相違する。
　
４．判断
　そこで、上記相違点について検討する。
　引用発明においては、上記３．（４）で「アクチュエータはその回転速度が一定になるように駆動制御され」る点を示したとおり、アクチュエータの移動速度は一定であることが特定されている。
　一方、引用発明における「ランプロード又はアンロード開始位置」は、上記３．（２）で示したとおり、「カム部材のパーキングエリア」又は「磁気ディスクの外周部」という特定の位置である。そして、上記３．（３）で示したとおり、引用発明における「前記ロード又は前記アンロード」の「完了」も「前記ディスクの特定の領域において」行われるものである点も考慮すれば、引用発明において、「前記ロード又は前記アンロードが、ランプロード又はアンロード開始位置から」開始されて「前記ディスクの特定の領域において完了する」際に、アクチュエータが移動する距離は一定である。
　すると、「前記ロード又は前記アンロード」におけるアクチュエータの移動速度及び移動距離が一定である以上、「前記ロード又は前記アンロードが、ランプロード又はアンロード開始位置から（前記ディスクの特定の領域において）完了する」までの時間が所定のものとなることは、速度・距離との関係からして自明であり、引用発明におけるヘッドの移動速度を制御する制御手段を、「前記ロード又は前記アンロードが、ランプロード又はアンロード開始位置から所定の時間で、かつ、前記ディスクの特定の領域において完了する」ように構成することは、当業者が適宜なし得る程度の事項にすぎない。
　また、上記構成である、上記ヘッドの移動速度の制御を時間の観点に基づき行うことについては、引用例の「アクチュエータ１２を駆動する駆動力が一定であれば、またはこの駆動力がコントローラ２４によって制御されていれば、磁気ディスク１１の回転位置によるパルスが検知されてからヘッドスライダ１６が定常回転している磁気ディスク１１上に浮上するまでの時間は、」・・・「一定となる。これにより、ヘッドスライダ１６が磁気ディスク１１上に浮上する位置は、この磁気ディスク１１の周方向に関して、常に一定の角度位置となる。」（段落【００４０】）、「アクチュエータ１２を駆動する駆動力が一定であれば、またはこの駆動力がコントローラ２４によって制御されていれば、磁気ディスク１１の回転位置によるパルスが検知されてからヘッドスライダ１６が定常回転している磁気ディスク１１から離反するまでの時間は、」・・・「一定となる。これにより、ヘッドスライダ１６が磁気ディスク１１から離反する位置は、この磁気ディスク１１の周方向に関して、常に一定の角度位置となる。」（段落【００４８】）、「駆動開始からヘッドスライダ１６が浮上するまでは、約０．３秒である。また、アクチュエータ１２の回転速度が一定であるので、ヘッドスライダ１６が磁気ディスク１１上に浮上する周方向の位置は、一定となる。」（段落【００６０】）、及び「駆動開始からヘッドスライダ１６が離反するまでは、約０．３秒である。また、アクチュエータ１２の回転速度が一定であるので、ヘッドスライダ１６が磁気ディスク１１上から離反する周方向の位置は、一定となる。」（段落【００６９】）等の、ヘッドスライダが磁気ディスク上に浮上する位置、及び該磁気ディスク上から離反する位置を一定にすべく、ヘッドスライダの移動時間を一定とすることを前提としている旨の記載を勘案することでも、容易に想起されるものである。
　
　そして、上記相違点を総合して判断しても、本願補正発明の奏する効果は、引用例から当業者が十分に予測できたものであって、格別なものとはいえない。
　
　したがって、本願補正発明は、その出願前に頒布された刊行物である引用例に基づいて、当業者が容易に発明をすることができたものであるから、特許法第２９条第２項の規定により特許出願の際独立して特許を受けることができないものである。
　
５．本件補正についてのむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するものであり、同法第１５９条第１項において読み替えて準用する同法第５３条第１項の規定により却下されるべきものである。
　
第３　本願発明について
１．本願発明
　平成１８年１１月９日付けの手続補正は上記のとおり却下されたので、本願の請求項１に係る発明（以下、「本願発明」という。）は、平成１７年８月２９日付け手続補正書の特許請求の範囲の請求項１に記載された事項により特定される以下のとおりのものである。
「【請求項１】　モータによりディスクを回転させており、ヘッドを保持部材から該ディスクにロード又は該ヘッドを該ディスクから該保持部材にアンロードするディスク装置において、
　ランプロード開始位置から所定の時間で前記ロード又は前記アンロードが完了するように前記ヘッドの移動速度を制御する制御手段を有することを特徴とするディスク装置。」
　
２．引用例
　原査定の拒絶の理由に引用された引用例及びその記載事項は、上記「第２　［理由］２．」に記載したとおりである。
　
３．対比・判断
　本願発明は、上記「第２　［理由］」で検討した本願補正発明における「前記ロード又は前記アンロードが、ランプロード又はアンロード開始位置から所定の時間で、かつ、前記ディスクの特定の領域において完了する」に関し、「又はアンロード」及び「、かつ、前記ディスクの特定の領域において」との各限定事項を省いたものである。
　そうすると、本願発明を特定するために必要な事項を全て含み、さらに他の事項を付加したものに相当する本願補正発明が、上記「第２　［理由］４．」に記載したとおり、引用例に記載された発明に基づいて当業者が容易に発明をすることができたものであるから、本願発明も、同様の理由により、当業者が容易に発明をすることができたものである。
　
４．むすび
　以上のとおり、本願の請求項１に記載された発明は、その出願前に頒布された刊行物に記載された発明に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。